(57)【要約】      （修正有）【課題】被施療者の肘関節が伸びた状態で被施療者の前腕に対して施療を行うことができる椅子型マッサージ機を提供する。【解決手段】椅子型マッサージ機１は、座部２と、前記座部の後方に傾倒可能な背凭れ部３と、被施療者の前腕を施療する前腕施療部４Ｌ、４Ｒとを備え、前腕施療部は背凭れ部の左側面に取り付けられ、前腕施療部は背凭れ部の右側面に取り付けられる。これにより、背凭れ部が座部の後方に倒れていない状態であっても背凭れ部が座部の後方に倒れている状態であっても、被施療者Ｈ１は、肘関節が伸びた状態で前腕施療部４Ｌ及び４Ｒによる前腕の施療をうけることができる。。【選択図】図２
2020202913.tif 000002
【特許請求の範囲】
【請求項１】
座部と、
前記座部の後方に傾倒可能な背凭れ部と、
被施療者の前腕を施療する前腕施療部と、
を備え、
前記前腕施療部は前記背凭れ部の左右両側面に取り付けられる、
椅子型マッサージ機。
【請求項２】
前記背凭れ部が前記座部の後方に傾倒するときに、前記背凭れ部と前腕施療部との相対位置の固定が可能である、請求項１に記載の椅子型マッサージ機。
【請求項３】
前記背凭れ部に対する前記前腕施療部の長手方向位置を調整可能な第１調整部を備える、請求項１または請求項２に記載の椅子型マッサージ機。
【請求項４】
前記背凭れ部に対する前記前腕施療部の左右方向位置を調整可能な第２調整部を備える、請求項１〜３のいずれか一項に記載の椅子型マッサージ機。
【請求項５】
前記背凭れ部に対する前記前腕施療部の所定方向位置を調整可能な第３調整部を備え、
前記所定方向は、左右方向及び前記前腕施療部の長手方向に垂直である、請求項１〜４のいずれか一項に記載の椅子型マッサージ機。
【請求項６】
前記座部の左右両側方上方に配置される肘掛け部を備える、請求項１〜５のいずれか一項に記載の椅子型マッサージ機。
【請求項７】
前記被施療者が前記背凭れ部に凭れている状態で前記被施療者の腹側から背側に向かう方向において、
前記背凭れ部の前記被施療者の背中が接する面と前記前腕施療部の前記被施療者の前腕背側が接する面とが同列に並ぶ、又は、前記背凭れ部の前記被施療者の背中が接する面、前記前腕施療部の前記被施療者の前腕背側が接する面の順に並ぶ、請求項１〜６のいずれかに記載の椅子型マッサージ機。
【請求項８】
前記背凭れ部は、左右両側面に前記前腕施療部が取り付けられる第１部分と、前記第１部分より上部に位置する第２部分と、を備え、
前記第１部分の左右方向幅は、前記第２部分の左右方向幅より小さい、請求項１〜７のいずれか一項に記載の椅子型マッサージ機。
【発明の詳細な説明】
【技術分野】
【０００１】
本発明は、前腕施療部を備えた椅子型マッサージ機に関する。
【背景技術】
【０００２】
従来、前腕施療部を肘掛け部に配置した椅子型マッサージ機が種々開発されている（例えば特許文献１参照）。
【先行技術文献】
【特許文献】
【０００３】
【特許文献１】特開２００６−８７５７１号公報
【特許文献２】特開２０１２−１２５６５０号公報
【発明の概要】
【発明が解決しようとする課題】
【０００４】
特許文献１で提案されている椅子型マッサージ機では、被施療者が前腕を肘掛け部に載せない限り前腕施療部が被施療者の前腕に対して施療を行えないので、被施療者の肘関節が曲がった状態でしか前腕施療部が被施療者の前腕に対して施療を行えない。つまり、特許文献１で提案されている椅子型マッサージ機では、被施療者の肘関節が伸びた状態（腕がリラックスした状態）で前腕施療部が被施療者の前腕に対して施療を行うことができない。
【０００５】
また、特許文献１で提案されている椅子型マッサージ機にリクライニング機能を付与すると、背凭れ部を倒した場合に被施療者の前腕が座部及び肘掛け部に対して後方に移動するため被施療者の前腕に対する施療位置が手首側にずれてしまう。
【０００６】
特許文献２で提案されている椅子型マッサージ機は、背凭れ部の傾倒と前腕施療部の後方移動とを連動させる機構によって上記のずれを緩和することができる。しかしながら、背凭れ部の傾倒と前腕施療部の後方移動とを連動させる機構は複雑な構造になるため、マッサージ機の重量及びコストを大幅に増加させる要因となる。
【０００７】
本発明は、上記の状況に鑑み、被施療者の肘関節が伸びた状態で被施療者の前腕に対して施療を行うことができる椅子型マッサージ機を提供することを目的とする。
【課題を解決するための手段】
【０００８】
本明細書中に開示されている椅子型マッサージ機は、座部と、前記座部の後方に傾倒可能な背凭れ部と、被施療者の前腕を施療する前腕施療部と、を備え、前記前腕施療部は前記背凭れ部の左右両側面に取り付けられる構成（第１の構成）である。
【０００９】
上記第１の構成の椅子型マッサージ機において、前記背凭れ部が前記座部の後方に傾倒するときに、前記背凭れ部と前腕施療部との相対位置の固定が可能である構成（第２の構成）にしてもよい。
【００１０】
上記第１又は第２の構成の椅子型マッサージ機において、前記背凭れ部に対する前記前腕施療部の長手方向位置を調整可能な第１調整部を備える構成（第３の構成）にしてもよい。
【００１１】
上記第１〜第３いずれかの構成の椅子型マッサージ機において、前記背凭れ部に対する前記前腕施療部の左右方向位置を調整可能な第２調整部を備える構成（第４の構成）にしてもよい。
【００１２】
上記第１〜第４いずれかの構成の椅子型マッサージ機において、前記背凭れ部に対する前記前腕施療部の所定方向位置を調整可能な第３調整部を備え、前記所定方向は、左右方向及び前記前腕施療部の長手方向に垂直である構成（第５の構成）にしてもよい。
【００１３】
上記第１〜第５いずれかの構成の椅子型マッサージ機において、前記座部の左右両側方上方に配置される肘掛け部を備える構成（第６の構成）にしてもよい。
【００１４】
上記第１〜第６いずれかの構成の椅子型マッサージ機において、前記被施療者が前記背凭れ部に凭れている状態で前記被施療者の腹側から背側に向かう方向において、前記背凭れ部の前記被施療者の背中が接する面と前記前腕施療部の前記被施療者の前腕背側が接する面とが同列に並ぶ、又は、前記背凭れ部の前記被施療者の背中が接する面、前記前腕施療部の前記被施療者の前腕背側が接する面の順に並ぶ構成（第７の構成）にしてもよい。
【００１５】
上記第１〜第７いずれかの構成の椅子型マッサージ機において、前記背凭れ部は、左右両側面に前記前腕施療部が取り付けられる第１部分と、前記第１部分より上部に位置する第２部分と、を備え、前記第１部分の左右方向幅は、前記第２部分の左右方向幅より小さい構成（第８の構成）にしてもよい。
【発明の効果】
【００１６】
本明細書中に開示されている椅子型マッサージ機によれば、被施療者の肘関節が伸びた状態で被施療者の前腕に対して施療を行うことができる。
【図面の簡単な説明】
【００１７】
【図１】一実施例に係る椅子型マッサージ機の斜視図
【図２】一実施例に係る椅子型マッサージ機の斜視図
【図３】一実施例に係る椅子型マッサージ機の斜視図
【図４】一実施例に係る椅子型マッサージ機の背凭れ部及び前腕施療部の断面模式図
【図５】変形例に係る椅子型マッサージ機の背凭れ部及び前腕施療部の断面模式図
【図６】他の変形例に係る椅子型マッサージ機の背凭れ部及び前腕施療部の正面模式図
【発明を実施するための形態】
【００１８】
以下、本発明の例示的な実施形態について、図面を参照しながら詳細に説明する。
【００１９】
図１〜図３は一実施例に係る椅子型マッサージ機１（以下、「マッサージ機１」と称す）の斜視図である。図１は、背凭れ部３が座部２の後方に倒れていない状態（起立状態）であって被施療者Ｈ１が前腕施療部４Ｌ及び４Ｒではなく肘掛け部６Ｌ及び６Ｒを使用している様子を示している。図２は、背凭れ部３が起立状態であって被施療者Ｈ１が肘掛け部６Ｌ及び６Ｒではなく前腕施療部４Ｌ及び４Ｒを使用している様子を示している。図３は、背凭れ部３が最も座部２の後方に倒れている状態（フルリクライニング状態）であって被施療者Ｈ１が肘掛け部６Ｌ及び６Ｒではなく前腕施療部４Ｌ及び４Ｒを使用している様子を示している。
【００２０】
以下の説明において、背凭れ部３が倒れていない状態のマッサージ機１に着座した被施療者Ｈ１から見て前側（正面側）を「前側」といい、背凭れ部３が倒れていない状態のマッサージ機１に着座した被施療者Ｈ１から見て後側（背面側）を「後側」という。また、背凭れ部３が倒れていない状態のマッサージ機１に着座した被施療者Ｈ１から見て上側（頭側）を「上側」といい、背凭れ部３が倒れていない状態のマッサージ機１に着座した被施療者Ｈ１から見て下側（脚側）を「下側」という。また、背凭れ部３が倒れていない状態のマッサージ機１に着座した被施療者Ｈ１から見て右側を「右側」といい、背凭れ部３が倒れていない状態のマッサージ機１に着座した被施療者Ｈ１から見て左側を「左側」という。
【００２１】
マッサージ機１は、座部２と、背凭れ部３と、左右一対の前腕施療部４Ｌ及び４Ｒと、左右一対のベース部５Ｌ及び５Ｒと、左右一対の肘掛け部６Ｌ及び６Ｒと、オットマン７と、を備える。
【００２２】
座部２は、被施療者Ｈ１の臀部及び大腿部を支持する。
【００２３】
背凭れ部３は、被施療者Ｈ１の肩、腰、及び背中を支持する。背凭れ部３は、左右方向に沿って延びるリクライニング回転軸回りに回転可能である。すなわち、背凭れ部３は、座部２の後方に傾倒可能である。背凭れ部３には、施療子を有するマッサージユニット（不図示）が設けられる。マッサージユニットは、背凭れ部３に設けられるガイドレール（不図示）によって案内されて背凭れ部３の長手方向に昇降する。なお、ガイドレールを座部２の後部にまで延長し、マッサージユニットが座部２及び背凭れ部３の長手方向に昇降するようにしてもよい。マッサージユニットは、施療子と、施療子に揉み動作を行わせる揉み駆動機構と、施療子にたたき動作を行わせるたたき駆動機構と、を備える。
【００２４】
前腕施療部４Ｌは背凭れ部３の左側面に取り付けられ、前腕施療部４Ｒは背凭れ部３の右側面に取り付けられる。これにより、背凭れ部３が座部２の後方に倒れていない状態であっても背凭れ部３が座部２の後方に倒れている状態であっても、被施療者Ｈ１は、肘関節が伸びた状態で前腕施療部４Ｌ及び４Ｒによる前腕の施療をうけることができる。前腕施療部４Ｌ及び４Ｒの長手方向と背凭れ部３の長手方向とは、被施療者Ｈ１の肘関節が伸びた状態で前腕施療部４Ｌ及び４Ｒによる前腕の施療が可能な程度に揃っていればよい。例えば、前腕施療部４Ｌ及び４Ｒの長手方向と背凭れ部３の長手方向との交差角（鋭角側の交差角）を３０°以内にすることが望ましく、１０°以内にすることがより望ましい。
【００２５】
また、上記の通り、前腕施療部４Ｌ及び４Ｒが背凭れ部３の左右側面に取り付けられるので、背凭れ部３が座部２の後方に傾倒するときに、背凭れ部３と前腕施療部４Ｌ及び４Ｒとの相対位置の固定が可能である。したがって、背凭れ部３を座部２の後方に倒した場合に被施療者Ｈ１の前腕に対する施療位置が手首側にずれることを防止することができる。
【００２６】
前腕施療部４Ｌの凹部は、被施療者Ｈ１の左前腕及び左手を収納する。前腕施療部４Ｌは、必ずしも被施療者Ｈ１の左前腕及び左手の全部を収納していなくてもよく、被施療者Ｈ１の左前腕の少なくとも一部を収納していればよい。前腕施療部４Ｌの凹部にはエアバッグ（不図示）が設けられる。前腕施療部４Ｌの凹部に設けられるエアバッグの膨縮によって被施療者Ｈ１の左前腕及び左手がマッサージされる。前腕施療部４Ｌは、必ずしも被施療者Ｈ１の左前腕及び左手の全部をマッサージ可能な構成でなくてもよく、被施療者Ｈ１の左前腕の少なくとも一部をマッサージ可能な構成であればよい。
【００２７】
前腕施療部４Ｒの凹部は、被施療者Ｈ１の右前腕及び右手を収納する。前腕施療部４Ｒは、必ずしも被施療者Ｈ１の右前腕及び右手の全部を収納していなくてもよく、被施療者Ｈ１の右前腕の少なくとも一部を収納していればよい。前腕施療部４Ｒの凹部にはエアバッグ（不図示）が設けられる。前腕施療部４Ｒの凹部に設けられるエアバッグの膨縮によって被施療者Ｈ１の右前腕及び右手がマッサージされる。前腕施療部４Ｒは、必ずしも被施療者Ｈ１の右前腕及び右手の全部をマッサージ可能な構成でなくてもよく、被施療者Ｈ１の右前腕の少なくとも一部をマッサージ可能な構成であればよい。
【００２８】
なお、前腕施療部４Ｌ及び４Ｒが被施療者Ｈ１の前腕及び手に対して行う施療は、マッサージに限定されず、物理的手段を用いて行われる施療であればよい。したがって、前腕施療部４Ｌ及び４Ｒが被施療者Ｈ１の前腕及び手に対して行う施療は、例えば、前腕及び手に熱を与える施療、被施療部に電気刺激を与える施療等であってもよい。前腕施療部４Ｌ及び４Ｒは、例えば、施療子、エアバッグ、振動子、ヒーター、電極パッド等を単独又は複数の組み合わせで含む構成であってもよい。
【００２９】
前腕施療部４Ｌ及び４Ｒの各凹部は、被施療者Ｈ１が背凭れ部３に凭れている状態で被施療者Ｈ１の腹側から背側に向かう方向に向かって凹む。
【００３０】
ベース部５Ｌは、座部２の左側に立設して設けられ、肘掛け部６Ｌを支持する。ベース部５Ｒは、座部２の右側に立設して設けられ、肘掛け部６Ｒを支持する。したがって、肘掛け部６Ｌは座部２の左側方上方に配置され、肘掛け部６Ｒは座部２の右側方上方に配置される。肘掛け部６Ｌ及び６Ｒは前腕施療部４Ｌ及び４Ｒの位置や形状の影響を受けないため、肘掛け部６Ｌ及び６Ｒの位置や形状を肘掛けとして適した位置や形状に設計することができる。
【００３１】
オットマン７は、被施療者Ｈ１の下腿部及び足を収容する。オットマン７は、左右方向に沿って延びる回転軸回りに回転可能に、座部２を支持するフレーム部材の上部前端に取り付けられる。
【００３２】
オットマン７にはエアバッグが設けられる。オットマン７に設けられるエアバッグの膨縮によって被施療者の下腿部及び足がマッサージされる。
【００３３】
なお、本実施例とは異なり、エアバッグ以外の施療手段をオットマン７に設けてもよく、施療手段をオットマン７に設けてなくてもよい。
【００３４】
次に、背凭れ部３並びに前腕施療部４Ｌ及び４Ｒに関してさらに説明する。
【００３５】
マッサージ機１は、背凭れ部３に対する前腕施療部４Ｌの長手方向位置を調整可能な左側第１調整部（不図示）と、背凭れ部３に対する前腕施療部４Ｒの長手方向位置を調整可能な右側第１調整部（不図示）と、を備える。左側第１調整部及び右側第１調整部を設けることで、被施療者Ｈ１の前腕に対する施療位置を被施療者Ｈ１の身長に応じて調整することができる。
【００３６】
左側第１調整部及び右側第１調整部としては、例えば公知のスライド機構を用いることができる。なお、左側第１調整部の調整による背凭れ部３と前腕施療部４Ｌとの相対位置変化は、前腕施療部４Ｌの長手方向のみの変化に限定されず、前腕施療部４Ｌの長手方向成分を含む方向の変化であればよい。同様に、右側第１調整部の調整による背凭れ部３と前腕施療部４Ｒとの相対位置変化は、前腕施療部４Ｒの長手方向のみの変化に限定されず、前腕施療部４Ｒの長手方向成分を含む方向の変化であればよい。
【００３７】
マッサージ機１は、背凭れ部３に対する前腕施療部４Ｌの左右方向位置を調整可能な左側第２調整部（不図示）と、背凭れ部３に対する前腕施療部４Ｒの左右方向位置を調整可能な右側第２調整部（不図示）と、を備える。左側第２調整部及び右側第２調整部を設けることで、被施療者Ｈ１の前腕に対する施療位置を被施療者Ｈ１の横幅に応じて調整することができる。
【００３８】
左側第２調整部及び右側第２調整部としては、例えば公知のスライド機構を用いることができる。なお、左側第２調整部の調整による背凭れ部３と前腕施療部４Ｌとの相対位置変化は、前腕施療部４Ｌの左右方向のみの変化に限定されず、前腕施療部４Ｌの左右方向成分を含む方向の変化であればよい。同様に、右側第２調整部の調整による背凭れ部３と前腕施療部４Ｒとの相対位置変化は、前腕施療部４Ｒの左右方向のみの変化に限定されず、前腕施療部４Ｒの左右方向成分を含む方向の変化であればよい。
【００３９】
マッサージ機１は、背凭れ部３に対する前腕施療部４Ｌの所定方向位置を調整可能な左側第３調整部（不図示）と、背凭れ部３に対する前腕施療部４Ｒの所定方向位置を調整可能な右側第３調整部（不図示）と、を備える。ここで、上記所定方向は、左右方向及び前腕施療部４Ｌ及び４Ｒの長手方向に垂直である方向である。本実施例では、上記所定方向は、前腕施療部４Ｌ及び４Ｒの各凹部の凹み方向と略平行である。左側第３調整部及び右側第３調整部を設けることで、被施療者Ｈ１の胸の張り具合を被施療者Ｈ１の好みに応じて調整することができる。なお、左側第３調整部及び右側第３調整部を設ける代わりに、又は、左側第３調整部及び右側第３調整部を設けることに加えて、前腕施療部４Ｌ及び４Ｒの各凹部に被施療者Ｈ１の前腕背側に接するエアバッグを設けてもよい。当該エアバッグの膨らみ具合を調整することにより、左側第３調整部及び右側第３調整部の調整と同様の効果を得ることができる。
【００４０】
左側第３調整部及び右側第３調整部としては、例えば公知のスライド機構を用いることができる。なお、左側第３調整部の調整による背凭れ部３と前腕施療部４Ｌとの相対位置変化は、上記所定方向のみの変化に限定されず、上記所定方向成分を含む方向の変化であればよい。同様に、右側第３調整部の調整による背凭れ部３と前腕施療部４Ｒとの相対位置変化は、上記所定方向のみの変化に限定されず、上記所定方向成分を含む方向の変化であればよい。
【００４１】
図４は、背凭れ部３並びに前腕施療部４Ｌ及び４Ｒを前腕施療部４Ｌ及び４Ｒの長手方向に垂直な面で切った断面を示す模式図である。本実施例では、図４に示すように、被施療者Ｈ１が背凭れ部３に凭れている状態で被施療者Ｈ１の腹側から背側に向かう方向Ｄ１において、背凭れ部３の被施療者Ｈ１の背中が接する面Ｆ１と前腕施療部４Ｌ及び４Ｒの被施療者Ｈ１の前腕背側が接する面Ｆ２及びＦ３とが同列に並ぶ。これにより、施療中に被施療者Ｈ１が巻き肩になることを防止でき、肩こりの解消等に有効である。
【００４２】
本実施例とは異なり、図５に示すように、被施療者Ｈ１が背凭れ部３に凭れている状態で被施療者Ｈ１の腹側から背側に向かう方向Ｄ１において、背凭れ部３の被施療者Ｈ１の背中が接する面Ｆ１、前腕施療部４Ｌ及び４Ｒの被施療者Ｈ１の前腕背側が接する面Ｆ２及びＦ３の順に並ぶようにしてもよい。なお、方向Ｄ１において面Ｆ２と面Ｆ３とは同列である。これにより、施療中に被施療者Ｈ１が胸を反らすことができ、肩こりの解消等に有効であるとともに大胸筋をストレッチすることもできる。
【００４３】
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００４４】
上述した実施例では背凭れ部３の左右方向幅は背凭れ部３の長手方向位置にかかわらず略一定であるが、例えば、図６に示すように、左右両側面に前腕施療部４Ｌ及び４Ｒが取り付けられる背凭れ部３の第１部分Ｐ１の左右方向幅Ｗ１を、第１部分Ｐ１より上部に位置する背凭れ部３の第２部分Ｐ２の左右方向幅Ｗ２より小さくしてもよい。
【００４５】
図６に示す構成によると、例えば、被施療者の左肩ぐうをマッサージするエアバッグの設置位置と被施療者の右肩ぐうをマッサージするエアバッグの設置位置との左右方向距離を、被施療者の左前腕外側をマッサージするエアバッグの設置位置と被施療者の右前腕外側をマッサージするエアバッグの設置位置との左右方向距離よりも狭くしなくとも、被施療者の肩ぐうをマッサージするエアバッグを背凭れ部３の第２部分Ｐ２に設置することができる。これにより、被施療者が腕を広げた姿勢をとらなくても、肩ぐう及び前腕外側に対する施療が可能となる。
【００４６】
また例えば、上述した実施例とは異なり、腕施療部４Ｌの凹部が右方向に向かって凹み、腕施療部４Ｒの凹部が左方向に向かって凹むようにしてもよい。この場合、被施療者Ｈ１は腕を左右に広げることで腕施療部４Ｌ及び４Ｒから腕を抜き出すことができるので、腕施療部４Ｌ及び４Ｒからの腕の抜き出し動作が楽になる。
【符号の説明】
【００４７】
１  一実施例に係る椅子型マッサージ機
２  座部
３  背凭れ部
４Ｌ、４Ｒ  前腕施療部
５Ｌ、５Ｒ  ベース部
６Ｌ、６Ｒ  肘掛け部
７  オットマン
【図１】
2020202913.tif 000003
【図２】
2020202913.tif 000004
【図３】
2020202913.tif 000005
【図４】
2020202913.tif 000006
【図５】
2020202913.tif 000007
【図６】
2020202913.tif 000008